(57)【特許請求の範囲】
【請求項１】
帰属中の無線ＬＡＮ（Ｌｏｃａｌ  Ａｒｅａ  Ｎｅｔｗｏｒｋ）クライアントから所定のサーバへの接続要求を受けた際に、前記無線ＬＡＮクライアント側と前記所定のサーバ側とにそれぞれ別個の通信コネクションを確立し、前記無線ＬＡＮクライアントおよび前記所定のサーバとそれぞれ送受信するデータの送受信制御を行う手段と、
前記無線ＬＡＮクライアントから要求されたドメイン名に対して、仮想的なＩＰ（Ｉｎｔｅｒｎｅｔ  Ｐｒｏｔｏｃｏｌ）アドレスを払い出すプライベートＤＮＳ（Ｄｏｍａｉｎ  Ｎａｍｅ  Ｓｅｒｖｅｒ）部と、を備え、
前記仮想的なＩＰアドレスを用いて前記無線ＬＡＮクライアントに対するパケットルーティングを行うことを特徴とする無線ＬＡＮアクセスポイント装置。
【請求項２】
前記所定のサーバ側との通信方式に応じて、トランスポート層プロトコルのパラメータの変更またはトランスポート層プロトコルの変換を行う請求項１の無線ＬＡＮアクセスポイント装置。
【請求項３】
前記所定のサーバ側との通信に用いるトランスポート層プロトコルは、Ｗ−ＴＣＰ（Ｗｉｒｅｌｅｓｓ  Ｐｒｏｆｉｌｅｄ  Ｔｒａｎｓｍｉｓｓｉｏｎ  Ｃｏｎｔｒｏｌ  Ｐｒｏｔｏｃｏｌ）である請求項１又は２の無線ＬＡＮアクセスポイント装置。
【請求項４】
さらに、自機の位置情報を取得する位置情報取得部を備え、
帰属中の無線ＬＡＮクライアントまたは前記所定のサーバに、前記位置情報取得部で取得した位置情報を提供する請求項１から３いずれか一の無線ＬＡＮアクセスポイント装置。
【請求項５】
無線ＬＡＮ（Ｌｏｃａｌ  Ａｒｅａ  Ｎｅｔｗｏｒｋ）アクセスポイント機能を備え、
帰属中の無線ＬＡＮクライアントから所定のサーバへの接続要求を受けた際に、前記無線ＬＡＮクライアント側と前記所定のサーバ側とにそれぞれ別個の通信コネクションを確立し、前記無線ＬＡＮクライアントおよび前記所定のサーバとそれぞれ送受信するデータの送受信制御を行う手段と、
前記無線ＬＡＮクライアントから要求されたドメイン名に対して、仮想的なＩＰ（Ｉｎｔｅｒｎｅｔ  Ｐｒｏｔｏｃｏｌ）アドレスを払い出すプライベートＤＮＳ（Ｄｏｍａｉｎ  Ｎａｍｅ  Ｓｅｒｖｅｒ）部とを備え、
前記仮想的なＩＰアドレスを用いて前記無線ＬＡＮクライアントに対するパケットルーティングを行うこと
を特徴とする移動通信端末。
【請求項６】
前記所定のサーバ側との通信方式に応じて、トランスポート層プロトコルのパラメータの変更またはトランスポート層プロトコルの変換を行う請求項５の移動通信端末。
【請求項７】
前記所定のサーバ側との通信に用いるトランスポート層プロトコルは、Ｗ−ＴＣＰ（Ｗｉｒｅｌｅｓｓ  Ｐｒｏｆｉｌｅｄ  Ｔｒａｎｓｍｉｓｓｉｏｎ  Ｃｏｎｔｒｏｌ  Ｐｒｏｔｏｃｏｌ）である請求項５又は６の移動通信端末。
【請求項８】
さらに、自機の位置情報を取得する位置情報取得部を備え、
帰属中の無線ＬＡＮクライアントまたは前記所定のサーバに、前記位置情報取得部で取得した位置情報を提供する請求項５から７いずれか一の移動通信端末。
【請求項９】
無線ＬＡＮ（Ｌｏｃａｌ  Ａｒｅａ  Ｎｅｔｗｏｒｋ）アクセスポイント機能を備え、無線ＬＡＮアクセスポイントとして動作する移動通信端末が、
帰属中の無線ＬＡＮクライアントから所定のサーバへの接続要求を受けた際に、前記無線ＬＡＮクライアント側と前記所定のサーバ側とにそれぞれ別個の通信コネクションを確立し、前記無線ＬＡＮクライアントおよび前記所定のサーバとそれぞれ送受信するデータの送受信制御を行うステップと、
前記無線ＬＡＮクライアントから要求されたドメイン名に対して、仮想的なＩＰ（Ｉｎｔｅｒｎｅｔ  Ｐｒｏｔｏｃｏｌ）アドレスを払い出すステップとを含み、
前記仮想的なＩＰアドレスを用いて前記無線ＬＡＮクライアントに対するパケットルーティングを行う通信方法。
【請求項１０】
無線ＬＡＮ（Ｌｏｃａｌ  Ａｒｅａ  Ｎｅｔｗｏｒｋ）アクセスポイント機能を備え、無線ＬＡＮアクセスポイントとして動作する移動通信端末に搭載されたコンピュータに実行させるプログラムであって、
帰属中の無線ＬＡＮクライアントから所定のサーバへの接続要求を受けた際に、前記無線ＬＡＮクライアント側と前記所定のサーバ側とにそれぞれ別個の通信コネクションを確立する処理を実行させ、無線ＬＡＮクライアントおよび前記所定のサーバとそれぞれ送受信するデータの送受信制御を行わせる処理と、
前記無線ＬＡＮクライアントから要求されたドメイン名に対して、仮想的なＩＰ（Ｉｎｔｅｒｎｅｔ  Ｐｒｏｔｏｃｏｌ）アドレスを払い出す処理とを前記コンピュータに実行させ、
前記コンピュータに、前記仮想的なＩＰアドレスを用いて前記無線ＬＡＮクライアントに対するパケットルーティングを行わせるプログラム。
【請求項１１】
前記仮想的なＩＰアドレスとグローバルＩＰアドレスとの変換を行うことにより、複数の無線ＬＡＮクライアントに対し、同一のグローバルＩＰアドレスへの同時接続環境を提供する請求項１の無線ＬＡＮアクセスポイント装置。
【請求項１２】
前記仮想的なＩＰアドレスとグローバルＩＰアドレスとの変換を行うことにより、複数の無線ＬＡＮクライアントに対し、同一のグローバルＩＰアドレスへの同時接続環境を提供する請求項５の移動通信端末。
【発明の詳細な説明】
【技術分野】
【０００１】
（関連出願についての記載）
本発明は、日本国特許出願：特願２００９−１２８０３５号（２００９年５月２７日出願）の優先権主張に基づくものであり、同出願の全記載内容は引用をもって本書に組み込み記載されているものとする。【０００２】
本発明は、無線ＬＡＮ（Ｌｏｃａｌ  Ａｒｅａ  Ｎｅｔｗｏｒｋ）アクセスポイント装置、移動通信端末、通信方法およびプログラムに関する。
【背景技術】
【０００３】
特許文献１に、無線ＬＡＮアクセスポイント機能を備えた携帯電話機が開示されている。特許文献２に、クレードルに載置した状態で無線ＬＡＮアクセスポイントとして機能する携帯電話機が開示されている。これら無線ＬＡＮ親機として動作可能な装置を用いれば、有線インターネット環境がない場所でも移動通信網に接続可能な場所であれば、インターネットに接続することが可能である。
【先行技術文献】
【特許文献】
【０００４】
【特許文献１】特開２００６−２７０８８９号公報
【特許文献２】特開２００６−３３３６８号公報
【発明の概要】
【発明が解決しようとする課題】
【０００５】
なお、上記特許文献の全開示内容はその引用をもって本書に繰込み記載する。【０００６】
一般に無線ＬＡＮ接続機能を備えた機器は、公衆無線ＬＡＮアクセスポイントや自宅の無線ＬＡＮルータを利用することを前提としており、移動通信網を介して通信することは想定されておらず、Ｗ−ＴＣＰ（Ｗｉｒｅｌｅｓｓ  Ｐｒｏｆｉｌｅｄ  Ｔｒａｎｓｐｏｒｔ  Ｃｏｎｔｒｏｌ  Ｐｒｏｔｏｃｏｌ）等の無線通信用にチューニングされた設定やトランスポート層プロトコルを利用する仕様となっていない。【０００７】
このため、上記した各特許文献の無線ＬＡＮアクセスポイントを利用する機器は、無線ＬＡＮ網と移動通信網を跨いで所望のＷｅｂサーバ等とＴＣＰ（Ｔｒａｎｓｐｏｒｔ  Ｃｏｎｔｒｏｌ  Ｐｒｏｔｏｃｏｌ）コネクションを確立することになり（図８参照）、無線特有の遅延やパケットロスによる再送要求が多発し、スループットが落ちてしまうという問題点がある。【０００８】
例えば、特許文献２の携帯電話が接続されたクレードルは、ブリッジ処理機能によりデータリンク層でデータの中継を行うものであり、同文献の図７のプロトコルスタックに示されたように、パソコンとＷｅｂサーバとが直接ＴＣＰコネクションを確立している。特許文献２のようにクレードルに載置した状態で使用する場合はもちろん、移動中や外出先で無線ＬＡＮ機能を利用するような場合にはさらにスループットが低下することが予想される。【０００９】
本発明は、上記した事情に鑑みてなされたものであって、その目的とするところは、移動通信網等を経由してサービスを提供する無線ＬＡＮアクセスポイント装置のスループット性能を向上させることにある。
【課題を解決するための手段】
【００１０】
本発明の第１の視点によれば、帰属中の無線ＬＡＮ（Ｌｏｃａｌ  Ａｒｅａ  Ｎｅｔｗｏｒｋ）クライアントから所定のサーバへの接続要求を受けた際に、前記無線ＬＡＮクライアント側と前記所定のサーバ側とにそれぞれ別個の通信コネクションを確立し、前記無線ＬＡＮクライアントおよび前記所定のサーバとそれぞれ送受信するデータの送受信制御を行う手段と、前記無線ＬＡＮクライアントから要求されたドメイン名に対して、仮想的なＩＰ（Ｉｎｔｅｒｎｅｔ  Ｐｒｏｔｏｃｏｌ）アドレスを払い出すプライベートＤＮＳ（Ｄｏｍａｉｎ  Ｎａｍｅ  Ｓｅｒｖｅｒ）部と、を備え、前記仮想的なＩＰアドレスを用いて前記無線ＬＡＮクライアントに対するパケットルーティングを行う無線ＬＡＮアクセスポイント装置が提供される。
【００１１】
本発明の第２の視点によれば、無線ＬＡＮ（Ｌｏｃａｌ  Ａｒｅａ  Ｎｅｔｗｏｒｋ）アクセスポイント機能を備え、帰属中の無線ＬＡＮクライアントから所定のサーバへの接続要求を受けた際に、前記無線ＬＡＮクライアント側と前記所定のサーバ側とにそれぞれ別個の通信コネクションを確立し、前記無線ＬＡＮクライアントおよび前記所定のサーバとそれぞれ送受信するデータの送受信制御を行う手段と、前記無線ＬＡＮクライアントから要求されたドメイン名に対して、仮想的なＩＰ（Ｉｎｔｅｒｎｅｔ  Ｐｒｏｔｏｃｏｌ）アドレスを払い出すプライベートＤＮＳ（Ｄｏｍａｉｎ  Ｎａｍｅ  Ｓｅｒｖｅｒ）部とを備え、前記仮想的なＩＰアドレスを用いて前記無線ＬＡＮクライアントに対するパケットルーティングを行う移動通信端末が提供される。
【００１２】
本発明の第３の視点によれば、無線ＬＡＮ（Ｌｏｃａｌ  Ａｒｅａ  Ｎｅｔｗｏｒｋ）アクセスポイント機能を備え、無線ＬＡＮアクセスポイントとして動作する移動通信端末が、帰属中の無線ＬＡＮクライアントから所定のサーバへの接続要求を受けた際に、前記無線ＬＡＮクライアント側と前記所定のサーバ側とにそれぞれ別個の通信コネクションを確立し、前記無線ＬＡＮクライアントおよび前記所定のサーバとそれぞれ送受信するデータの送受信制御を行うステップと、前記無線ＬＡＮクライアントから要求されたドメイン名に対して、仮想的なＩＰ（Ｉｎｔｅｒｎｅｔ  Ｐｒｏｔｏｃｏｌ）アドレスを払い出すステップとを含み、前記仮想的なＩＰアドレスを用いて前記無線ＬＡＮクライアントに対するパケットルーティングを行う通信方法が提供される。
【００１３】
本発明の第４の視点によれば、無線ＬＡＮ（Ｌｏｃａｌ  Ａｒｅａ  Ｎｅｔｗｏｒｋ）アクセスポイント機能を備え、無線ＬＡＮアクセスポイントとして動作する移動通信端末に搭載されたコンピュータに実行させるプログラムであって、帰属中の無線ＬＡＮクライアントから所定のサーバへの接続要求を受けた際に、前記無線ＬＡＮクライアント側と前記所定のサーバ側とにそれぞれ別個の通信コネクションを確立する処理を実行させ、無線ＬＡＮクライアントおよび前記所定のサーバとそれぞれ送受信するデータの送受信制御を行わせる処理と、前記無線ＬＡＮクライアントから要求されたドメイン名に対して、仮想的なＩＰ（Ｉｎｔｅｒｎｅｔ  Ｐｒｏｔｏｃｏｌ）アドレスを払い出す処理とを前記コンピュータに実行させ、前記コンピュータに、前記仮想的なＩＰアドレスを用いて前記無線ＬＡＮクライアントに対するパケットルーティングを行わせるプログラムが提供される。
【発明の効果】
【００１４】
本発明によれば、移動通信網を経由してサービスを提供する無線ＬＡＮアクセスポイントのスループット性能を向上させることが可能になる。その理由は、無線ＬＡＮクライアントとの通信コネクションを自機側で終端し、移動通信網を介した自機の前記所定のサーバとの区間に別途通信コネクションを確立し、各区間で送受信制御を行うよう構成したことにある。
【図面の簡単な説明】
【００１５】
【図１】本発明の概要を説明するための図である。
【図２】本発明の第１の実施形態の概略構成を説明するための図である。
【図３】本発明の第１の実施形態の移動通信端末の構成を表したブロック図である。
【図４】図２の無線ＬＡＮクライアントがコンテンツサーバにアクセスしているときのプロトコルスタックを表した図である。
【図５】図２の無線ＬＡＮクライアントが、アクセスポイントとして動作する移動通信端末に帰属するまでの動作を表したシーケンス図である。
【図６】図２の無線ＬＡＮクライアントがコンテンツサーバにアクセス要求を行った際の動作を表したシーケンス図である。
【図７】本発明の他の実施形態を説明するための図である。
【図８】無線ＬＡＮクライアントとコンテンツサーバとの間に確立されたＴＣＰコネクションを説明するための図である。
【発明を実施するための形態】
【００１６】
はじめに、本発明の概要を説明する。図１に示すように、本発明に係る無線ＬＡＮアクセスポイント装置（無線ＬＡＮ基地局）は、帰属中の無線ＬＡＮクライアントからコンテンツサーバへの接続要求を受けた際に、無線ＬＡＮクライアントから要求されたＴＣＰコネクションの確立要求を自装置で一旦終端し、別途自装置とコンテンツサーバとの間に、ＴＣＰコネクションを確立し、セッションを開始する。
【００１７】
以上により、トランスポート層における再送要求の発生区間を切り分け、各区間において送受信制御を行うことが可能になる。さらに、自装置とコンテンツサーバとの間のＴＣＰのパラメータとして無線通信に最適化されたＷ−ＴＣＰ等を用いることで、図１の移動通信網＋ＩＰ（Ｉｎｔｅｒｎｅｔ  Ｐｒｏｔｏｃｏｌ）網の区間におけるスループットが向上する。
【００１８】
［第１の実施形態］
続いて、本発明の第１の実施形態について図面を参照して詳細に説明する。図２は、本発明の第１の実施形態の概略構成を説明するための図である。図２を参照すると、無線ＬＡＮクライアント１と、移動通信端末２と、移動通信網の基地局３と、移動通信網のゲートウェイサーバ４と、ＩＰ網上に置かれたコンテンツサーバ５とが示されている。
【００１９】
無線ＬＡＮクライアント１は、無線ＬＡＮアクセスポイントに帰属し、ネットワーク上の任意のサーバ等とデータを送受信する機能を備えた接続可能なパーソナルコンピュータ、ゲーム機器、カメラ、ＰＤＡ（Ｐｅｒｓｏｎａｌ  Ｄｉｇｉｔａｌ  Ａｓｓｉｓｔａｎｔ）等の機器である。
【００２０】
移動通信端末２は、無線ＬＡＮアクセスポイント機能を備えた携帯電話端末や、移動通信網を利用し外出先等任意の場所で利用できるように構成されたアクセスポイント装置等である。移動通信端末２の詳細構成については、後に図３を用いて詳説する。
【００２１】
移動通信端末２は、移動通信網の基地局３およびゲートウェイサーバ４を介してＩＰ網に接続することが可能になっている。
【００２２】
コンテンツサーバ５は、例えば、特定の無線ＬＡＮクライアント１向けのコンテンツを保持するサーバである。
【００２３】
図３は、本発明の第１の実施形態の移動通信端末の構成を表したブロック図である。図３を参照すると、ルーティングアプリケーション実行部２１と、無線ＬＡＮ制御部２２と、無線ＬＡＮ／ＷＣＤＭＡルーティング機能部２３と、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）制御部２４と、無線ＬＡＮ送受信部２５と、ＷＣＤＭＡ送受信部２６とを備えた構成が示されている。
【００２４】
ルーティングアプリケーション実行部２１は、移動通信端末２の各部を制御して、移動通信端末２を無線ＬＡＮアクセスポイントとして機能させる。例えば、後記する処理を実行するプログラムを移動通信端末２に搭載されたＣＰＵ（Ｃｅｎｔｒａｌ  Ｐｒｏｃｅｓｓｉｎｇ  Ｕｎｉｔ）に実行させることにより実現できる。
【００２５】
無線ＬＡＮ制御部２２は、ルーティングアプリケーション実行部２１からの指示に従い、ＩＥＥＥ８０２．１１ｂ／ｇ等の規格に対応した無線ＬＡＮ送受信部２５を制御し、無線ＬＡＮクライアント１との帰属処理や再送制御付きのデータの送受信を実行する。
【００２６】
ＷＣＤＭＡ制御部２４は、ルーティングアプリケーション実行部２１からの指示に従い、移動通信網と接続するＷＣＤＭＡ送受信部２６を制御し、再送制御付きのデータの送受信を実行する。
【００２７】
無線ＬＡＮ／ＷＣＤＭＡルーティング機能部２３は、無線ＬＡＮクライアント１からの名前解決要求に対して、予め定めておいた無線ＬＡＮ子機用仮想ＩＰアドレスの中から、当該無線ＬＡＮクライアント１のために仮想ＩＰアドレス（プライベートなＩＰアドレス）を払い出し、前記無線ＬＡＮクライアント１から要求されたドメインと前記払い出した仮想ＩＰアドレスを対応付けて記憶するプライベートＤＮＳ（Ｄｏｍａｉｎ  Ｎａｍｅ  Ｓｅｒｖｅｒ）部２３１を含む。
【００２８】
無線ＬＡＮ／ＷＣＤＭＡルーティング機能部２３は、無線ＬＡＮクライアント１からの前記仮想ＩＰアドレスを宛先としたＴＣＰコネクション確立要求（ＳＹＮ）を受けると、無線ＬＡＮクライアント１に代わって、前記無線ＬＡＮクライアント１から要求されたドメインに対応する実ＩＰアドレスを宛先としてＴＣＰコネクションを確立する。前記無線ＬＡＮクライアント１から要求された実ＩＰアドレスを宛先としたＴＣＰコネクションが確立されると、無線ＬＡＮ／ＷＣＤＭＡルーティング機能部２３は、前記払い出した仮想ＩＰアドレス名義で、無線ＬＡＮクライアント１にＴＣＰコネクション確立応答を送出する。
【００２９】
上記無線ＬＡＮ／ＷＣＤＭＡルーティング機能部２３が無線ＬＡＮクライアント１に代わって接続要求先とＴＣＰコネクションを確立する際に、無線ＬＡＮ／ＷＣＤＭＡルーティング機能部２３に、ＴＣＰのパラメータの最適化や、プロトコル変換を行わせることができる。
【００３０】
図４は、図２の無線ＬＡＮクライアント１がコンテンツサーバ５にアクセスしているときのプロトコルスタックを表した図である。図４の例では、無線ＬＡＮ／ＷＣＤＭＡルーティング機能部２３によって、図中の無線ＬＡＮクライアント１と移動通信端末２の間はＴＣＰで通信が行われ、移動通信端末２とゲートウェイサーバ４の間はＷ−ＴＣＰで通信が行われる。
【００３１】
続いて、本実施形態の動作について図面を参照して詳細に説明する。はじめに、無線ＬＡＮクライアント１が、アクセスポイントとして動作する移動通信端末２に帰属するまでの動作について説明する。
【００３２】
図５は、無線ＬＡＮクライアント１が移動通信端末２に帰属するまでの動作を表したシーケンス図である。図５を参照すると、まず、携帯通信端末２のユーザが、携帯通信端末の機能選択画面等からルーティングアプリケーション実行部２１を起動させる（ルータモード）と、ルーティングアプリケーション実行部２１は、無線ＬＡＮ制御部２２に通電開始を指示する（ステップＳ１０１）。
【００３３】
前記指示を受けた無線ＬＡＮ制御部２２は、無線ＬＡＮ送受信部２５に通電を開始するとともに（ステップＳ１０２）、各種無線ＬＡＮのパラメータをセットする（ステップＳ１０３）。
【００３４】
前記無線ＬＡＮ通電およびパラメータセットが完了した無線ＬＡＮ制御部２２は、ルーティングアプリケーション実行部２１に対して、通電開始が完了した旨（通電開始ＯＫ）を応答する（ステップＳ１０４）。
【００３５】
前記応答を受け取ったルーティングアプリケーション実行部２１は、認証サーバにアクセスし、インターネット接続処理を実行する（ステップＳ１０５）。インターネット接続が完了すると（ステップＳ１０６）、ルーティングアプリケーション実行部２１は、無線ＬＡＮ制御部２２を介して無線ＬＡＮ送受信部２５にビーコンの送信を開始させる（ステップＳ１０７〜Ｓ１０９）。
【００３６】
無線ＬＡＮクライアント１は、前記ビーコンを受信して、帰属処理を実行すると（ステップＳ１１０）、無線ＬＡＮ送受信部２５、無線ＬＡＮ制御部２２を介して帰属通知がルーティングアプリケーション実行部２１に入力され、接続が完了する。
【００３７】
次に、前記帰属処理が完了した無線ＬＡＮクライアント１が、コンテンツサーバ５にアクセスを行った際の動作について説明する。
【００３８】
図６は、無線ＬＡＮクライアント１とコンテンツサーバ５との間にＴＣＰコネクションが確立されるまでの動作を表したシーケンス図である。以下の説明では、コンテンツサーバ５には、「ｗｗｗ.ａｂｃ．ｃｏｍ」とのドメインネームが付与されているものとする。無線ＬＡＮクライアント１のユーザが「ｗｗｗ.ａｂｃ．ｃｏｍ」からコンテンツの受信を試みるものとする。
【００３９】
図６を参照すると、まず、無線ＬＡＮクライアント１から、「ｗｗｗ.ａｂｃ．ｃｏｍ」へのアクセス要求が送出されると（ステップＳ２０１）、移動通信端末２のプライベートＤＮＳ部２３１が「ｗｗｗ.ａｂｃ．ｃｏｍ」の名前解決要求に対して（ステップＳ２０２）、無線ＬＡＮ子機用の仮想ＩＰアドレスを返却する（ステップＳ２０３）。ここでは、仮想ＩＰアドレスとして、１．１．１．１が応答されたものとする。
【００４０】
無線ＬＡＮクライアント１は、前記仮想ＩＰアドレス（１．１．１．１）を相手先としたＴＣＰコネクション確立要求（ＳＹＮ）を送出する（ステップＳ２０４）。前記ＴＣＰコネクション確立要求（ＳＹＮ）を受信した移動通信端末２の無線ＬＡＮ／ＷＣＤＭＡルーティング機能部２３は、プライベートＤＮＳ部２３１に対し、仮想ＩＰアドレス（１．１．１．１）を払い出したドメインネームを問い合わせて、「ｗｗｗ.ａｂｃ．ｃｏｍ」へのアクセス要求であると判断する。
【００４１】
移動通信端末２の無線ＬＡＮ／ＷＣＤＭＡルーティング機能部２３は、インターネット上のＤＮＳから、前記仮想ＩＰアドレス（１．１．１．１）を払い出している「ｗｗｗ.ａｂｃ．ｃｏｍ」のグローバルＩＰアドレスを入手した後（ステップＳ２０５、Ｓ２０６）、前記グローバルＩＰアドレスを相手先としたＴＣＰコネクション確立要求（ＳＹＮ）を送出する（ステップＳ２０７）。
【００４２】
前記ＴＣＰコネクション確立要求（ＳＹＮ）を受信したコンテンツサーバ５からＴＣＰコネクション確立確認応答（ＳＹＮ＋ＡＣＫ）を受信すると（ステップＳ２０８）、移動通信端末２の無線ＬＡＮ／ＷＣＤＭＡルーティング機能部２３は、無線ＬＡＮクライアント１に対し、前記仮想ＩＰアドレス（１．１．１．１）名義でＴＣＰコネクション確立確認応答（ＳＹＮ＋ＡＣＫ）を返す（ステップＳ２０９）。
【００４３】
以上のようにして、無線ＬＡＮクライアント１と移動通信端末２との間、および、移動通信端末２とコンテンツサーバ５（厳密にはゲートウェイサーバ４）との間に、ＴＣＰセッションが確立される。
【００４４】
以後同様に、無線ＬＡＮクライアント１が、前記仮想ＩＰアドレス（１．１．１．１）宛てにパケットを送信すると、移動通信端末２がコンテンツサーバ５に対してパケットを送信する。そして、コンテンツサーバ５から何らかの応答等を受信すると、移動通信端末２は、前記仮想ＩＰアドレス（１．１．１．１）名義で、無線ＬＡＮクライアント１に返送する。
【００４５】
従って、無線ＬＡＮクライアント１から見ると、コンテンツサーバ５との間に、直接ＴＣＰコネクションが確立されているのと同様に、データの送受信を行うことが可能になる。
【００４６】
以上説明したように、本実施形態においては、無線ＬＡＮクライアント１がコンテンツサーバ５と通信する際に、携帯電話端末２において、ＴＣＰコネクションを終端し、ゲートウェイサーバ４と別個に移動通信網に最適化されたＷ−ＴＣＰにて通信を行うように構成したため、実効スループットを向上させることができる。
【００４７】
また、本実施形態では、携帯電話端末２がプライベートＤＮＳ部２３１を備え、前記仮想ＩＰアドレスと実アドレス（グローバルＩＰアドレス）との変換を行うように構成したため、複数の無線ＬＡＮクライアントに同時接続環境を提供することが可能になっている。
【００４８】
以上、本発明の実施形態を説明したが、本発明は、上記した実施形態に限定されるものではなく、本発明の基本的技術的思想を逸脱しない範囲で、更なる変形・置換・調整を加えることができる。例えば、ＷＣＤＭＡ制御部２４およびＷＣＤＭＡ送受信部２６を備えるものとして説明したが、その他の無線通信方式においても同様に適用することが可能である。
【００４９】
また、上記した実施形態では、移動通信端末２が無線ＬＡＮ送受信部２５と、ＷＣＤＭＡ送受信部２６を有するものとして説明したが、例えば、図７に示すように、移動通信端末２にＷｉＭＡＸ（ＩＥＥＥ８０２．１６ｅ）等のＮ種の通信モジュールが備えられている場合には、これらの通信モジュールを用いる場合にも同様に、ＴＣＰコネクションを一旦終端し、アクセス先とのＴＣＰコネクションを別途確立させることができる。これにより、各通信モジュールおよび無線区間に応じたＴＣＰ等トランスポート層プロトコルのパラメータの変更またはトランスポート層プロトコルの変換を行わせ、通信スループットを向上させることが可能である。
【００５０】
また、移動通信端末がＧＰＳ（Ｇｌｏｂａｌ  Ｐｏｓｉｔｉｏｎｉｎｇ  Ｓｙｓｔｅｍ）や在圏セル情報等の位置情報取得機能を備えた携帯端末である場合には、無線ＬＡＮクライアントに対して、アクセスポイント機能を提供するだけでなく、無線ＬＡＮクライアントやその接続先であるサーバに対し、位置情報の提供を行うことが可能になる。例えば、無線ＬＡＮ機能を備えたデジタルカメラが画像データのアップロードを行う際に位置情報を添付するといったことが可能である。また例えば、アクセスポイントとして機能して無線ＬＡＮ機能付のゲーム機器をオンライン対戦に参加させるとともに、当該ゲームにおけるユーザ情報として、無線ＬＡＮクライアントの位置情報を提供するといったことが可能になる。またさらには、無線ＬＡＮクライアントに対して周辺地図情報やナビゲーション機能を提供するサーバに、位置情報を提供することも可能である。
【００５１】
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００５２】
１  無線ＬＡＮクライアント
２  移動通信端末
３  基地局
４  ゲートウェイサーバ
５  コンテンツサーバ
２１  ルーティングアプリケーション実行部（ルーティングＡＰＬ実行部）
２２  無線ＬＡＮ制御部
２３  無線ＬＡＮ／ＷＣＤＭＡルーティング機能部
２４  ＷＣＤＭＡ制御部
２５  無線ＬＡＮ送受信部
２６  ＷＣＤＭＡ送受信部
２３１  プライベートＤＮＳ部
【図１】
0005459314.tif 000002
【図２】
0005459314.tif 000003
【図３】
0005459314.tif 000004
【図４】
0005459314.tif 000005
【図５】
0005459314.tif 000006
【図６】
0005459314.tif 000007
【図７】
0005459314.tif 000008
【図８】
0005459314.tif 000009